(57)【要約】  有益な取替周期の差を確保して部品の取替履歴を分割することができる部品の取替周期算出装置を提供する。取替周期算出装置は、取替周期の算出対象となる部品が利用された機器の属性に基づいて当該部品の取替履歴を複数の群に分割した複数のパターンの各々に対し、複数の群の有意差の有無を統計的検定手法により判定する有意差判定部と、取替周期の算出対象となる部品が利用された機器の属性に基づいて当該部品の取替履歴を複数の群に分割した複数のパターンの各々に対し、複数の群の平均生存期間を算出する生存期間算出部と、当該部品の取替周期を算出する際のパターンとして、前記有意差判定部により有意差があると判定されたパターンのうち、前記生存期間算出部により算出された複数の群の平均生存期間の差が指定された期間以上となるパターンを選択するパターン選択部と、を備えた。
2016151808.tif 000002
【特許請求の範囲】
【請求項１】
取替周期の算出対象となる部品が利用された機器の属性に基づいて当該部品の取替履歴を複数の群に分割した複数のパターンの各々に対し、複数の群の有意差の有無を統計的検定手法により判定する有意差判定部と、
取替周期の算出対象となる部品が利用された機器の属性に基づいて当該部品の取替履歴を複数の群に分割した複数のパターンの各々に対し、複数の群の各々における平均生存期間を算出する生存期間算出部と、
当該部品の取替周期を算出する際のパターンとして、前記有意差判定部により有意差があると判定されたパターンのうち、前記生存期間算出部により算出された複数の群の各々における平均生存期間の差が指定された期間以上となるパターンを選択するパターン選択部と、
を備えた部品の取替周期算出装置。
【請求項２】
前記パターン選択部は、前記有意差判定部により有意差があると判定された複数のパターンにおいて、前記生存期間算出部により算出された複数の群の各々における平均生存期間の差が指定された期間以上となる場合は、複数の群の各々における平均生存期間の差がより大きくなるパターンを選択する請求項１に記載の部品の取替周期算出装置。
【請求項３】
前記有意差判定部と前記生存期間算出部と前記パターン選択部とは、群の数が指定された数となるまで当該部品の取替履歴の分割を繰り返す請求項１または請求項２に記載の部品の取替周期算出装置。
【請求項４】
前記有意差判定部と前記生存期間算出部と前記パターン選択部とは、複数のパターンの全てにおいて前記生存期間算出部により算出された複数の群の各々における平均生存期間の差が指定された期間未満となる際に当該部品の取替履歴の分割を終了する請求項３に記載の部品の取替周期算出装置。
【請求項５】
機器に利用された部品の交換履歴の情報を記憶装置に記憶させる記憶工程と、
取替周期の算出対象となる部品が利用された機器の属性に基づいて前記記憶装置に記憶された当該部品の取替履歴の情報を複数の群に分割した複数のパターンの各々に対し、複数の群の有意差の有無を統計的検定手法により判定する有意差判定工程と、
取替周期の算出対象となる部品が利用された機器の属性に基づいて前記記憶装置に記憶された当該部品の取替履歴の情報を複数の群に分割した複数のパターンの各々に対し、複数の群の各々における平均生存期間を算出する生存期間算出工程と、
当該部品の取替周期を算出する際のパターンとして、前記有意差判定工程により有意差があると判定されたパターンのうち、前記生存期間算出工程により算出された複数の群の各々における平均生存期間の差が指定された期間以上となるパターンを選択するパターン選択工程と、
を備えた部品の取替周期算出方法。
【請求項６】
前記パターン選択工程は、前記有意差判定工程により有意差があると判定された複数のパターンにおいて、前記生存期間算出工程により算出された複数の群の各々における平均生存期間の差が指定された期間以上となる場合は、複数の群の各々における平均生存期間の差がより大きくなるパターンを選択する請求項５に記載の部品の取替周期算出方法。
【請求項７】
前記有意差判定工程と前記生存期間算出工程と前記パターン選択工程とは、群の数が指定された数となるまで当該部品の取替履歴の情報の分割を繰り返す請求項５または請求項６に記載の部品の取替周期算出方法。
【請求項８】
前記有意差判定工程と前記生存期間算出工程と前記パターン選択工程とは、複数のパターンの全てにおいて前記生存期間算出工程により算出された複数の群の各々における平均生存期間の差が指定された期間未満となる際に当該部品の取替履歴の情報の分割を終了する請求項７に記載の部品の取替周期算出方法。
【発明の詳細な説明】
【技術分野】
【０００１】
この発明は、部品の取替周期算出装置および取替周期算出方法に関する。
【背景技術】
【０００２】
特許文献１は、部品の取替周期算出装置を開示する。当該取替周期算出装置は、機器の起動回数に基づいて当該機器に利用された部品の取替履歴を複数の群に分割する。当該取替周期算出装置は、複数の群の各々において当該部品の取替周期に対応した値を算出する。
【先行技術文献】
【特許文献】
【０００３】
【特許文献１】日本特開２００７−１９９８４４号公報
【発明の概要】
【発明が解決しようとする課題】
【０００４】
しかしながら、特許文献１に記載のものにおいては、分割された複数の群において、有益な取替周期の差が確保されない場合もある。この場合、正しい周期で部品を取り替えることができないこともある。【０００５】
この発明は、上述の課題を解決するためになされた。この発明の目的は、有益な取替周期の差を確保して部品の取替履歴を分割することができる部品の取替周期算出装置および取替周期算出方法を提供することである。
【課題を解決するための手段】
【０００６】
この発明に係る部品の取替周期算出装置は、取替周期の算出対象となる部品が利用された機器の属性に基づいて当該部品の取替履歴を複数の群に分割した複数のパターンの各々に対し、複数の群の有意差の有無を統計的検定手法により判定する有意差判定部と、取替周期の算出対象となる部品が利用された機器の属性に基づいて当該部品の取替履歴を複数の群に分割した複数のパターンの各々に対し、複数の群の各々における平均生存期間を算出する生存期間算出部と、当該部品の取替周期を算出する際のパターンとして、前記有意差判定部により有意差があると判定されたパターンのうち、前記生存期間算出部により算出された複数の群の各々における平均生存期間の差が指定された期間以上となるパターンを選択するパターン選択部と、を備えた。【０００７】
この発明に係る部品の取替周期算出方法は、機器に利用された部品の交換履歴の情報を記憶装置に記憶させる記憶工程と、取替周期の算出対象となる部品が利用された機器の属性に基づいて前記記憶装置に記憶された当該部品の取替履歴の情報を複数の群に分割した複数のパターンの各々に対し、複数の群の有意差の有無を統計的検定手法により判定する有意差判定工程と、取替周期の算出対象となる部品が利用された機器の属性に基づいて前記記憶装置に記憶された当該部品の取替履歴の情報を複数の群に分割した複数のパターンの各々に対し、複数の群の各々における平均生存期間を算出する生存期間算出工程と、当該部品の取替周期を算出する際のパターンとして、前記有意差判定工程により有意差があると判定されたパターンのうち、前記生存期間算出工程により算出された複数の群の各々における平均生存期間の差が指定された期間以上となるパターンを選択するパターン選択工程と、を備えた。
【発明の効果】
【０００８】
これらの発明によれば、部品の取替周期を算出する際のパターンは、有意差があると判定されたパターンのうち、複数の群の各々における平均生存期間の差が指定された期間以上となるパターンとなる。このため、有益な取替周期の差を確保して部品の取替履歴を分割することができる。
【図面の簡単な説明】
【０００９】
【図１】この発明の実施の形態１における部品の取替周期算出装置のブロック図である。
【図２】この発明の実施の形態１における部品の取替周期算出装置のハードウェア構成図である。
【図３】この発明の実施の形態１における部品の取替周期算出装置により生成された複数のパターンを説明するための図である。
【図４】この発明の実施の形態１における部品の取替周期算出装置により算出された未取替率曲線を示す図である。
【図５】この発明の実施の形態１における部品の取替周期算出装置により選択されたパターンを説明するための図である。
【図６】この発明の実施の形態１における部品の取替周期算出装置により算出された未取替率曲線の一例を示す図である。
【図７】この発明の実施の形態１における部品の取替周期算出装置により抽出されたパターンの候補を説明するための図である。
【図８】この発明の実施の形態１における部品の取替周期算出装置により抽出されたパターンの第１候補における未取替率曲線を示す図である。
【図９】この発明の実施の形態１における部品の取替周期算出装置により抽出されたパターンの第２候補における未取替率曲線を示す図である。
【図１０】この発明の実施の形態１における部品の取替周期算出装置の動作の概要を説明するためのフローチャートである。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略する。
【００１１】
実施の形態１．
図１はこの発明の実施の形態１における部品の取替周期算出装置のブロック図である。
【００１２】
図１において、記憶装置１は、管理会社に設けられる。記憶装置１は、第１データベースと第２データベースとを備える。第１データベースにおいては、機器に利用された部品の取替時期の情報が記憶される。例えば、第１データベースにおいては、エレベータに利用された部品の取替時期の情報が記憶される。第２データベースにおいては、当該部品が利用された機器の属性の情報が記憶される。例えば、第２データベースにおいては、当該部品が利用されたエレベータの仕様、起動回数等の情報が記憶される。
【００１３】
取替周期算出装置２は、管理会社に設けられる。取替周期算出装置２は、取替履歴抽出部２ａとパターン生成部２ｂと有意差判定部２ｃと生存期間算出部２ｄとパターン選択部２ｅと取替周期算出部２ｆとを備える。
【００１４】
取替履歴抽出部２ａは、図示しない入力装置等からの指示に基づいて取替周期の算出対象となる部品の取替履歴の情報を第１データベースから抽出する。
【００１５】
パターン生成部２ｂは、取替履歴抽出部２ａに取替履歴の情報を抽出された部品が利用された機器の属性の情報を第２データベースから抽出する。パターン生成部２ｂは、当該機器の属性に基づいて当該部品の取替履歴の情報を複数の群に分割した複数のパターンを生成する。
【００１６】
有意差判定部２ｃは、パターン生成部２ｂに生成された複数のパターンの各々に対し、複数の群の有意差の有無を統計的検定手法により判定する。
【００１７】
生存期間算出部２ｄは、パターン生成部２ｂにより生成された複数のパターンの各々に対し、複数の群の各々における平均生存期間を算出する。
【００１８】
パターン選択部２ｅは、当該部品の取替周期を算出する際のパターンを選択する。具体的には、パターン選択部２ｅは、有意差判定部２ｃにより有意差があると判定されたパターンのうち、生存期間算出部２ｄにより算出された複数の群の各々における平均生存期間の差が入力装置等により指定された期間以上となるパターンを選択する。
【００１９】
取替周期算出部２ｆは、パターン選択部２ｅにより選択されたパターンで分割された複数の群の各々において当該部品の取替周期を算出する。
【００２０】
次に、図２を用いて、取替周期算出装置２の一例を説明する。
図２はこの発明の実施の形態１における部品の取替周期算出装置のハードウェア構成図である。
【００２１】
図２に示すように、取替周期算出装置２は、処理回路３を備える。処理回路３は、プロセッサ３ａとメモリ３ｂとを備える。図１の取替周期算出装置２の各部の動作は、少なくとも一つのプロセッサ３ａが少なくとも一つのメモリ３ｂに記憶されたプログラムを実行することにより実現される。
【００２２】
次に、図３を用いて、部品の取替履歴の情報を複数の群に分割する際のパターンを説明する。
図３はこの発明の実施の形態１における部品の取替周期算出装置により生成された複数のパターンを説明するための図である。
【００２３】
図３に示すように、パターン生成部２ｂは、機器の起動回数に基づいて第１パターンと第２パターンと第３パターンと第４パターンとを生成する。図３において、第１パターンは、（１）で表される。第２パターンは、（２）で表される。第３パターンは、（３）で表される。第４パターンは、（４）で表される。
【００２４】
第１パターンにおいて、第１群と第２群とは、機器の起動回数をＸ回とした第１分割境界により分割される。第２パターンにおいて、第１群と第２群とは、機器の起動回数を２Ｘ回とした第２分割境界により分割される。第３パターンにおいて、第１群と第２群とは、機器の起動回数を３Ｘ回とした第３分割境界により分割される。第４パターンにおいて、第１群と第２群とは、機器の起動回数を４Ｘ回とした第４分割境界により分割される。
【００２５】
次に、図４を用いて、複数の群の優位差の有無と複数の群の各々における平均生存期間とを説明する。
図４はこの発明の実施の形態１における部品の取替周期算出装置により算出された未取替率曲線を示す図である。
【００２６】
有意差判定部２ｃは、第１パターンから第４パターンの各々に対し、第１群と第２群との未取替曲線を認識する。例えば、未取替曲線は、カプランマイヤーの計算手法に基づいて描かれる。
【００２７】
有意差判定部２ｃは、第１パターンから第４パターンの各々に対し、第１群と第２群との未取替曲線の有意差の有無を統計的検定手法により判定する。例えば、有意差判定部２ｃは、第１群と第２群との未取替曲線の有意差の有無をログランク検定により判定する。例えば、有意差判定部２ｃは、第１群と第２群との未取替曲線の有意差の有無をウィルコクソン検定により判定する。
【００２８】
生存期間算出部２ｄは、第１パターンから第４パターンの各々に対し、第１群と第２群との各々における平均生存期間の差を算出する。例えば、生存期間算出部２ｄは、第１群と第２群との各々における未取替曲線で囲まれた面積の差に基づいて第１群と第２群との各々における平均生存期間の差を算出する。
【００２９】
次に、図５を用いて、部品の取替周期を算出する際のパターンを説明する。
図５はこの発明の実施の形態１における部品の取替周期算出装置により選択されたパターンを説明するための図である。
【００３０】
パターン選択部２ｅは、第１パターンから第４パターンのうち、有意差判定部２ｃにより有意差があると判定されたパターンの候補とする。パターン選択部２ｅは、パターンの候補のうち、生存期間算出部２ｄにより算出された第１群と第２群との各々における平均生存期間の差が指定された期間以上となるパターンを選択する。
【００３１】
図５においては、第２パターンが選択される。その結果、第１群は、起動回数が２Ｘ回未満の機器に利用された部品の取替履歴の集合となる。第２群は、起動回数が２Ｘ回以上の機器に利用された部品の取替履歴の集合となる。
【００３２】
次に、図６を用いて、部品の取替履歴の分割を終了するタイミングを説明する。
図６はこの発明の実施の形態１における部品の取替周期算出装置により算出された未取替率曲線の一例を示す図である。
【００３３】
有意差判定部２ｃと生存期間算出部２ｄとパターン選択部２ｅとは、群の数が入力装置等により指定された数となるまで各群において当該部品の取替周期の分割を繰り返す。有意差判定部２ｃと生存期間算出部２ｄとパターン選択部２ｅとは、群の数が指定された数に達した際に当該部品の取替周期の分割を終了する。
【００３４】
複数のパターンの全てにおいて複数の群の各々における平均生存期間の差が指定された期間未満となる際も、有意差判定部２ｃと生存期間算出部２ｄとパターン選択部２ｅとは、当該部品の取替周期の分割を終了する。
【００３５】
次に、図７から図９を用いて、部品の取替周期を算出する際のパターンの選択を説明する。
図７はこの発明の実施の形態１における部品の取替周期算出装置により抽出されたパターンの候補を説明するための図である。図８はこの発明の実施の形態１における部品の取替周期算出装置により抽出されたパターンの第１候補における未取替率曲線を示す図である。図９はこの発明の実施の形態１における部品の取替周期算出装置により抽出されたパターンの第２候補における未取替率曲線を示す図である。
【００３６】
図７において、パターン選択部２ｅは、有意差判定部２ｃにより有意差がある第１パターンをパターンの第１候補とする。パターン選択部２ｅは、有意差判定部２ｃにより有意差がある第２パターンをパターンの第２候補とする。第１パターンと第２パターンとにおいて、複数の群の各々における平均生存期間の差が指定された期間以上となる。この場合、パターン選択部２ｅは、複数の群の各々における平均生存期間の差がより大きくなるパターンを選択する。
【００３７】
図８に示すように、第１パターンにおいて、第１群と第２群との各々における未取替率曲線で囲まれた面積の差は比較的狭い。この場合、第１群と第２群との各々における平均生存期間の差は比較的短い。図９に示すように、第２パターンにおいて、第１群と第２群との未取替率曲線で囲まれた面積の差は比較的広い。この場合、第１群と第２群との各々における平均生存期間の差は比較的長い。この際、パターン選択部２ｅは、第１群と第２群との各々における平均生存期間の差がより大きくなる第２パターンを選択する。
【００３８】
次に、図１０を用いて、取替周期算出装置２の動作の概要を説明する。
図１０はこの発明の実施の形態１における部品の取替周期算出装置の動作の概要を説明するためのフローチャートである。
【００３９】
ステップＳ１では、取替履歴抽出部２ａは、部品の取替履歴の情報を抽出する。その後、ステップＳ２に進む。ステップＳ２では、パターン生成部２ｂは、当該部品が利用された機器の属性の情報に基づいて当該部品の取替履歴を複数の群に分割した複数のパターンを生成する。
【００４０】
その後、ステップＳ３に進む。ステップＳ３では、有意差判定部２ｃは、複数のパターンの各々に対し、複数の群の有意差の有無を統計的検定手法により判定する。その後、ステップＳ４に進む。ステップＳ４では、複数のパターンの各々に対し、複数の群の各々における平均生存期間を算出する。
【００４１】
その後、ステップＳ５に進む。ステップＳ５では、パターン選択部２ｅは、有意差判定部２ｃの判定結果と生存期間算出部２ｄの算出結果とに基づいて、当該部品の取替周期を算出する際のパターンを選択する。その後、ステップＳ６に進む。ステップＳ６では、取替周期算出部２ｆは、選択されたパターンで分割された複数の群の各々において当該部品の取替周期を算出する。その後、動作が終了する。
【００４２】
以上で説明した実施の形態１によれば、部品の取替周期を算出する際のパターンは、有意差があると判定されたパターンのうち、複数の群の各々における平均生存期間の差が指定された期間以上となるパターンとなる。このため、有益な取替周期の差を確保して部品の取替履歴を分割することができる。その結果、正しい周期で部品を取り替えることにより機器の故障率を下げることで、機器を保守する際の品質を向上することができる。また、取替周期が伸びた群については、周期を延ばして部品を取り替えることができる。このため、機器を保守する際のコストを削減することができる。
【００４３】
例えば、エレベータにおいては、数十種類の機種が存在する。各機種において、数千種類以上、総部品では数万点にもおよぶ部品が存在する。このため、部品の取替履歴の分割を人で行うと、時間がかかる。さらに、人為的なミスも発生し得る。これらの部品に対して取替周期算出装置２を適用すれば、自動的に正確に短時間で取替履歴を分割することができる。
【００４４】
また、有意差があると判定された複数のパターンにおいて、複数の群の各々における平均生存期間の差が指定された期間以上となる場合は、部品の取替周期を算出する際のパターンは、複数の群の平均生存期間の差がより大きくなるパターンとなる。このため、より有益な取替周期の差を確保することができる。
【００４５】
また、部品の取替履歴の分割は、群の数が指定された数となるまで繰り返される。このため、部品の取替履歴の分割数を希望する数とすることができる。
【００４６】
また、複数のパターンの全てにおいて複数の群の平均生存期間の差が指定された期間未満となる際、部品の取替履歴の分割を終了する。このため、有益な取替周期の差を確保しつつ、部品の取替履歴を細かく分割することができる。
【００４７】
なお、各パターンにおける群の数は２つに限定されない。例えば、各パターンにおける群の数を３つにしてもよい。
【００４８】
また、機器を乗客コンベアとしてもよい。この場合、有益な取替周期の差を確保して乗客コンベアの部品の取替履歴を分割することができる。
【産業上の利用可能性】
【００４９】
以上のように、この発明に係る取替周期算出装置は、有益な取替周期の差を確保して部品の取替履歴を分割するシステムに利用できる。
【符号の説明】
【００５０】
１  記憶装置、  ２  取替周期算出装置、  ２ａ  取替履歴抽出部、  ２ｂ  パターン生成部、  ２ｃ  有意差判定部、  ２ｄ  生存期間算出部、  ２ｅ  パターン選択部、  ２ｆ  取替周期算出部、  ３  処理回路、  ３ａ  プロセッサ、  ３ｂ  メモリ
【図１】
2016151808.tif 000003
【図２】
2016151808.tif 000004
【図３】
2016151808.tif 000005
【図４】
2016151808.tif 000006
【図５】
2016151808.tif 000007
【図６】
2016151808.tif 000008
【図７】
2016151808.tif 000009
【図８】
2016151808.tif 000010
【図９】
2016151808.tif 000011
【図１０】
2016151808.tif 000012
【国際調査報告】
2016151808.tif 000013
2016151808.tif 000014